(57)【要約】      （修正有）【課題】決済装置の環境に対する適応性を向上させ、コード読み取り決済の成功率を向上できる、決済装置のケース及び決済装置を提供する。【解決手段】ケースは、上カバー１と、上ケース２と、下ケース３とを有し、上ケースは、上部が上カバーの下面と接続され、下部が下ケースと接続され、上ケースに貫通孔を有し、上カバーは、蓋板１０１と中空のフレームとを含み、蓋板が、中空のフレームの上面に固定され、光線が、蓋板を通って貫通孔に入り、上カバーは、光源１０２をさらに有し、上ケースの内部に、光補充補助装置をさらに有する。決済装置は、ケースと、ケース内に設置される撮像カメラユニットとメイン制御ユニットとをさらに有する。光源と光補充補助装置を利用して、外部環境における読み取り対象画像に対して光補充を行うことにより、決済装置のケース及び決済装置の環境に対する適応性及びコード読み取り決済の成功率を向上させることができる。【選択図】図１
2020173798.tif 000002
【特許請求の範囲】
【請求項１】
上カバーと、上ケースと、下ケースとを有し、
前記上ケースは、上部が前記上カバーの下面と接続され、下部が前記下ケースと接続され、前記上ケースと前記下ケースとの間に撮像カメラユニットを格納する中空構造が形成され、前記上ケースに貫通孔を有し、
前記上カバーは、蓋板と中空のフレームとを含み、前記蓋板が、前記中空のフレームの上面に固定され、前記フレームの中空部分を覆い、光線が、前記蓋板を通って前記貫通孔に入り、前記貫通孔から前記撮像カメラユニットのレンズに入り、
前記上カバーは、光源をさらに有し、前記上ケースの内部に、前記光源からの光を乱反射で前記蓋板の上面の上方へ投光するための光補充補助装置をさらに有する
ことを特徴とする決済装置のケース。
【請求項２】
前記ケースは、前記下ケースに固定される滑り止め装置をさらに有することを特徴とする請求項１に記載の決済装置のケース。
【請求項３】
前記上カバーの中空部分が四角形に形成され、前記光源が前記四角形の２つの対辺に沿って配置されるライトパネルを含み、前記ライトパネルが前記上カバーのフレームの下面に固定されることを特徴とする請求項１に記載の決済装置のケース。
【請求項４】
前記ライトパネルは、いくつの白色のビーズ及び／又はいくつのカラーのビーズを備え、前記白色のビーズに光補充ビーズを含み、前記撮像カメラユニットにおける撮像カメラが採取する前記読み取り対象画像の明るさを前記撮像カメラの識別可能な最低の明るさ以上にするように、前記蓋板の付近の読み取り対象画像に対して光補充を行うことを特徴とする請求項３に記載の決済装置のケース。
【請求項５】
前記上カバーは、下面に遮光部をさらに有し、
前記遮光部は、前記光源からの光が直接前記ケースの外部に投光されず、前記光補充補助装置に投光され、前記光補充補助装置により反射されて前記ケースの外部に出射されるように、前記光源の近くに設置される
ことを特徴とする請求項１に記載の決済装置のケース。
【請求項６】
前記上カバーは、上面に前記蓋板を取り付けるためのガイド溝をさらに備え、前記ガイド溝が、前記蓋板の周りに位置し、前記蓋板を前記ガイド溝に位置させて、前記蓋板の取り付け位置を位置決めするためのものであることを特徴とする請求項１に記載の決済装置のケース。
【請求項７】
前記上カバーは、上面に突起部品をさらに備え、前記突起部品が、前記上カバーの外エッジに位置し、外部物体が前記上カバーにぶつかる確率を低減させるためのものであることを特徴とする請求項１に記載の決済装置のケース。
【請求項８】
前記光補充補助装置は、椀状に形成され、前記上ケースと一体に形成されたものであり、
前記光補充補助装置の椀口部が前記上カバーの方向に向けるように設けられるとともに前記上ケースの上部に固定され、前記光補充補助装置の椀底部に前記貫通孔を有することを特徴とする請求項１に記載の決済装置のケース。
【請求項９】
前記下ケースは、１つの下ケース底面と２つの下ケース側面とを含み、前記下ケース側面が前記下ケース底面から上に向かって平滑に延伸した突起であり、
前記上ケースの両側のエッジが前記突起に対応する凹部であり、
前記突起と前記凹部とが、前記上ケースと前記下ケースとの接続箇所において合致し、
前記突起が、外側に突出する又は内側に窪む
ことを特徴とする請求項１に記載の決済装置のケース。
【請求項１０】
前記下ケースは、１つの下ケース底面と２つの下ケース側面とを含み、前記下ケース側面が前記下ケース底面から上に向かって平滑に延伸した突起であり、
前記上ケースの両側のエッジが前記突起に対応する凹部であり、
前記突起と前記凹部とが、前記上ケースと前記下ケースとの接続箇所において合致し、
前記下ケース側面が前記下ケース底面に垂直し、前記上ケースが４つの上ケース側面を含み、隣接する２つの前記上ケース側面同士が互いに垂直し、対向する２つの前記上ケース側面が平行する
ことを特徴とする請求項１に記載の決済装置のケース。
【請求項１１】
前記下ケースは、前記下ケースの底面に位置する少なくとも１つの中空柱をさらに有し、前記中空柱に導電シリコーンゴムが取り付けられていることを特徴とする請求項１に記載の決済装置のケース。
【請求項１２】
前記下ケースは、底面の外側にｓｉｍカードカバーをさらに有し、前記ｓｉｍカードカバーが、カバー体と、凸片と、固定孔とを含み、
前記凸片と固定孔が、それぞれ前記カバー体と接続し、前記カバー体の対称する２つの端に位置することを特徴とする請求項１に記載の決済装置のケース。
【請求項１３】
請求項１〜１２のいずれか１項に記載の決済装置のケースと、読み取り対象画像情報を取得するための撮像カメラユニットと、前記撮像カメラユニットを制御するとともに前記撮像カメラユニットの取得した読み取り対象画像情報を処理するためのメイン制御ユニットと、を有することを特徴とする決済装置。
【請求項１４】
前記蓋板の下方に固定される液晶スクリーンをさらに有し、前記メイン制御ユニットにより前記液晶スクリーンの表示内容が制御されることを特徴とする請求項１３に記載の決済装置。
【発明の詳細な説明】
【技術分野】
【０００１】
本出願は、決済の技術分野に属し、殊に、決済装置のケース及び決済装置に関する。
【背景技術】
【０００２】
科学技術の進歩にしたがって、消費者の消費をより便利にするため、コード読み取り決済という技術が開発された。便利性があるため、消費者でますます人気になるので、コード読み取りに適用する決済装置に対する需要が増えつつある。しかしながら、従来、市場における決済装置が光補充の機能を備えず、環境の光を利用して読み取り対象画像を読み取ることしかできない。外部の光の強さが十分でない場合、コード読み取りを妨害する。
【発明の概要】
【０００３】
上記の事情を鑑みて、本出願の実施例は、決済装置の環境に対する適応性を向上させ、コード読み取り決済の成功率を向上できる、決済装置のケース及び決済装置を提供する。
【０００４】
上記の技術的課題を解決するため、本明細書における実施例では下記の手段を利用して実現する。
【０００５】
本明細書における実施例による決済装置のケースは、上カバーと、上ケースと、下ケースとを有し、前記上ケースは、上部が前記上カバーの下面と接続され、下部が前記下ケースと接続され、前記上ケースと前記下ケースとの間に撮像カメラユニットを格納する中空構造が形成され、前記上ケースに貫通孔を有し、前記上カバーは、蓋板と中空のフレームとを含み、前記蓋板が、前記中空のフレームの上面に固定され、前記フレームの中空部分を覆い、光線が、前記蓋板を通って前記貫通孔に入り、前記貫通孔から前記撮像カメラユニットのレンズに入り、前記上カバーは、光源をさらに有し、前記上ケースの内部に、前記光源からの光を乱反射で前記蓋板の上面の上方へ投光するための光補充補助装置をさらに有する。
【０００６】
好ましくは、前記ケースが、前記下ケースに固定される滑り止め装置をさらに有する。
【０００７】
好ましくは、前記上カバーの中空部分が四角形に形成され、前記光源が前記四角形の２つの対辺に沿って配置されるライトパネルを含み、前記ライトパネルが前記上カバーのフレームの下面に固定される。
【０００８】
好ましくは、前記ライトパネルが、いくつの白色のビーズ及び／又はいくつのカラーのビーズを備え、前記白色のビーズに光補充ビーズを含み、前記撮像カメラユニットにおける撮像カメラが採取する読み取り対象画像の明るさを前記撮像カメラの識別可能な最低の明るさ以上にするように、前記蓋板の付近の読み取り対象画像に対して光補充を行う。
【０００９】
好ましくは、前記白色のビーズと前記カラーのビーズが交互に配置される。
【００１０】
好ましくは、前記光補充ビーズが、白色チップ型発光ダイオードを含む。前記白色チップ型発光ダイオードが、作動の順方向電圧の範囲が２．８〜３．６Ｖであり、明るさの範囲が２８５０〜７２００ｍｃｄである。
【００１１】
好ましくは、前記カラーのビーズが、フルカラーチップ型発光ダイオードを含む。フルカラーチップ型発光ダイオードが、赤色発光ダイオード、緑色発光ダイオード及び青色発光ダイオードを含む。前記赤色発光ダイオードは、順方向電圧が１．８〜２．６Ｖであり、明るさが２３０〜４５０ｍｃｄであり、前記緑色発光ダイオードは、順方向電圧が２．８〜３．６Ｖであり、明るさが７２０〜１４００ｍｃｄであり、前記青色発光ダイオードは、順方向電圧が２．８〜３．６Ｖであり、明るさが２３０〜４５０ｍｃｄである。
【００１２】
好ましくは、前記上カバーが、下面に遮光部をさらに有し、前記遮光部は、前記光源からの光が直接前記ケースの外部に投光されず、前記光補充補助装置に投光され、前記光補充補助装置により反射されて前記ケースの外部に出射されるように、前記光源設置の近くに設置される。
【００１３】
好ましくは、前記上カバーが、上面に前記蓋板を取り付けるためのガイド溝をさらに備え、前記ガイド溝が、前記蓋板の周りに位置し、前記蓋板を前記ガイド溝に位置させて、前記蓋板の取り付け位置を位置決めするためのものである。
【００１４】
好ましくは、前記上カバーが、上面に突起部品をさらに備え、前記突起部品が、前記上カバーの外エッジに位置し、外部物体が前記上カバーにぶつかる確率を低減させるためのものである。
【００１５】
好ましくは、前記蓋板が、前記蓋板における透明領域を囲み、前記蓋板と前記上カバーとの接続部分を遮るための非透明領域をさらに含み、前記透明領域が前記中空部分に重なる。
【００１６】
好ましくは、前記光補充補助装置が、椀状に形成され、前記上ケースと一体に形成されたものであり、前記光補充補助装置の椀口部が前記上カバーの方向に向けるように設けられるとともに前記上ケースの上部に固定され、前記光補充補助装置の椀底部に前記貫通孔を有する。
【００１７】
好ましくは、前記下ケースに、音量調節ボタン及び／又はモード調節ボタンがさらに固定に取り付けられる。
【００１８】
好ましくは、前記下ケースが、１つの下ケース底面と２つの下ケース側面とを含み、前記下ケース側面が前記下ケース底面から上に向けって平滑に延伸した突起であり、前記上ケースの両側のエッジが前記突起に対応する凹部であり、前記突起と前記凹部とが、前記上ケースと前記下ケースとの接続箇所において合致し、前記突起が、外側に突出する又は内側に窪む。
【００１９】
好ましくは、前記下ケースが、１つの下ケース底面と２つの下ケース側面とを含み、前記下ケース側面が前記下ケース底面から上に向かって平滑に延伸した突起であり、前記上ケースの両側のエッジが前記突起に対応する凹部であり、前記突起と前記凹部とが、前記上ケースと前記下ケースとの接続箇所において合致し、前記下ケース側面が前記下ケース底面に垂直し、前記上ケースが４つの上ケース側面を含み、隣接する２つの前記上ケース側面同士が互いに垂直し、対向する２つの前記上ケース側面が平行する。
【００２０】
好ましくは、前記下ケースが、側面にスピーカーからの音声を放出するための音放出孔を有する。
【００２１】
好ましくは、前記下ケースが、前記下ケースの底面に位置する少なくとも１つの中空柱をさらに有し、前記中空柱に導電シリコーンゴムが取り付けられている。
【００２２】
好ましくは、前記下ケースが、底面の外側にｓｉｍカード（Ｓｕｂｓｃｒｉｂｅｒ  Ｉｄｅｎｔｉｆｉｃａｔｉｏｎ  Ｍｏｄｕｌｅ、利用者身分識別カード）カバーをさらに有し、前記ｓｉｍカードカバーが、カバー体と、凸片と、固定孔とを含み、前記凸片と固定孔が、それぞれ前記カバー体と接続し、前記カバー体の対称する２つの端に位置する。
【００２３】
本出願による決済装置は、上記の決済装置のケースと、読み取り対象画像情報を取得するための撮像カメラユニットと、前記撮像カメラユニットを制御するとともに前記撮像カメラユニットの取得した読み取り対象画像情報を処理するためのメイン制御ユニットとを有する。
【００２４】
好ましくは、前記決済装置が、前記蓋板の下方に固定される液晶スクリーンをさらに有し、前記メイン制御ユニットにより前記液晶スクリーンの表示内容が制御される。
【００２５】
本明細書における実施例の上記の少なくとも１つの技術案は下記の有益効果を有する。本出願による決済装置ケース及び決済装置は、光源と光補充補助装置を有するため、外部環境における読み取り対象画像に対して光補充を行うことができ、決済装置の環境に対する適応性を向上させ、コード読み取り決済の成功率を向上させることができる。
【００２６】
もう一方、本出願による決済装置ケース及び決済装置は、音量調節ボタン及び／又はモード調節ボタンをさらに有し、利用者が必要に応じて合理的に調節できるので、本出願による決済装置ケース及び決済装置の実用性を向上させることができる。
【図面の簡単な説明】
【００２７】
ここで、説明する図面は、本出願の一部として、本出願に対する理解のためのものであり、本出願の例示的な実施例及びその説明が、本出願を解釈するためのものであり、いずれも本出願を限定するものではない。
【００２８】
【図１】本明細書における実施例による決済装置のケース及び決済装置の分解図である。
【図２】本明細書における実施例による決済装置のケース及び決済装置の断面図である。
【図３】本明細書における実施例によるライトパネルの構成模式図である。
【図４】本明細書における実施例による上カバーの構成模式図である。
【図５】本明細書における実施例による蓋板の構成模式図である。
【図６】本明細書における実施例による上ケースの構成模式図である。
【図７】本明細書における実施例による音量調節ボタンの構成模式図である。
【図８】本明細書における実施例によるモード調節ボタンの構成模式図である。
【図９】本明細書における実施例による下ケースの構成模式図である。
【図１０】本明細書における実施例による導電シリコーンゴムの構成模式図である。
【図１１】本明細書における実施例によるｓｉｍカード（Ｓｕｂｓｃｒｉｂｅｒ  Ｉｄｅｎｔｉｆｉｃａｔｉｏｎ  Ｍｏｄｕｌｅ、利用者身分識別カード）カバーの構成模式図である。
【図１２】本明細書における実施例によるコンパクトな決済装置のケース及び決済装置分解図である。
【図１３】本明細書における実施例によるコンパクトな決済装置のケース及び決済装置の上ケースの構成模式図である。
【図１４】本明細書における実施例によるコンパクトな決済装置のケース及び決済装置の下ケースの構成模式図である。
【図１５】本明細書における実施例によるコンパクトな決済装置のケース及び決済装置の滑り止め装置の構成模式図である。
【図１６】本明細書における実施例による液晶スクリーン付きの決済装置の分解図である。
【図１７】本明細書における実施例による液晶スクリーン付きの決済装置の断面図である。
【発明を実施するための形態】
【００２９】
本出願の目的、技術案及び利点をより明瞭にするため、以下、本出願の具体的な実施例及び該当図面を参照しながら、本出願の技術案を明瞭かつ完全に説明する。説明する実施例は本出願の一部の実施例にすぎず、すべての実施例ではないことが無論である。本出願の実施例をもとに、当業者が発明能力を用いることなく得られたすべてのその他の実施例も、本出願の保護範囲に属する。
【００３０】
以下、図面を参照しながら、本出願における各実施例による技術案を詳細に説明する。
【００３１】
実施例１
図１及び図２は、本明細書における実施例１による決済装置のケースを示すものである。本明細書における実施例１による決済装置のケースは、上カバー１と、上ケース２と、下ケース３とを有する。
【００３２】
上ケース２は、上部が上カバー１の下面と接され、下部が下ケース３と接続される。上ケース２と下ケース３との間に撮像カメラユニットとメイン制御ユニットを格納する中空構造２０７が形成される。上ケース２には、撮像カメラユニットにおける撮像カメラが読み取り対象画像を撮影するための貫通孔２０１を有する。上ケース２の内部に、光源１０２からの光を乱反射で蓋板１０１の上面の上方へ投光するための光補充補助装置２０２をさらに有する。
【００３３】
上カバー１は、蓋板１０１と中空のフレームとを含む。蓋板１０１は、中空のフレームの上面に固定され、前記フレームの中空部分を覆う。光線は、蓋板１０１を通って貫通孔２０１に入り、貫通孔２０１から前記撮像カメラユニットのレンズに入る。
【００３４】
上カバー１は、光源１０２をさらに有する。光源１０２は、図１に示すように、上カバー１の下面に固定され、蓋板１０１の上面の上方に対して光補充を行うためのものである。
【００３５】
本明細書における実施例１による決済装置のケースは、光源及び光補充補助装置により読み取り対象画像に対して光補充を行うことで、読み取り対象画像の明るさを上げて、読み取り対象画像に対する識別率を向上させることができる。
【００３６】
ここで、上カバー１の中空部分が四角形に形成され、光源１０２が前記四角形の辺に沿って対称に配置されるライトパネル１０２１を含み、ライトパネル１０２１が前記四角形の２つの対辺に沿って配置される。また、ライトパネル１０２１が前記四角形の４つの辺に沿って配置されてもよい。実際に応用するとき、当業者は、光補充の必要に応じて、どの辺にライトパネル１０２１を設置するかを自由に決めることができ、本出願では限定しない。ライトパネル１０２１が上カバー１のフレームの下面に固定されることによって、光補充補助装置２０２の受光が均一になり、読み取り対象画像に対して均一の光補充を行うことができる。
【００３７】
図３は、本明細書における実施例１によるライトパネルの構成模式図（正面図、平面図、側面図及び底面図を含む）である。図３に示すように、ライトパネルは、いくつの白色のビーズ１０２１ａ及び／又はいくつのカラーのビーズ１０２１ｂを備える。白色のビーズ１０２１ａは、光補充ビーズを含み、前記撮像カメラユニットにおける撮像カメラが採取する読み取り対象画像の明るさを前記撮像カメラの識別可能な最低の明るさ以上にするように、蓋板１０１の付近の読み取り対象画像に対して光補充を行う。よって、読み取り対象画像に対して光補充を行うことができるとともに、ビーズの発光規則を設定し、異なる発光規則を用いて異なる情報を報知することができる。これによって、ビーズの多機能化を実現することもできる。
【００３８】
そして、図３に示すように、白色のビーズ１０２１ａとカラーのビーズ１０２１ｂが交互に配置されることによって、ライトパネルが提供する光の均一性をさらに保証できる。
【００３９】
本発明の実施例１では、前記光補充ビーズは、白色チップ型発光ダイオードを含む。前記白色チップ型発光ダイオードは、作動の順方向電圧の範囲が２．８〜３．６Ｖであり、明るさの範囲が２８５０〜７２００ｍｃｄであるので、十分の光補充を提供できるとともに、消費電力が小さく、明るさが適当で、省エネである。
【００４０】
カラーのビーズは、フルカラーチップ型発光ダイオードを含む。フルカラーチップ型発光ダイオードは、赤色発光ダイオード、緑色発光ダイオード及び青色発光ダイオードを含む。前記赤色発光ダイオードは、順方向電圧が１．８〜２．６Ｖであり、明るさが２３０〜４５０ｍｃｄである。前記緑色発光ダイオードは、順方向電圧が２．８〜３．６Ｖであり、明るさが７２０〜１４００ｍｃｄである。前記青色発光ダイオードは、順方向電圧が２．８〜３．６Ｖであり、明るさが２３０〜４５０ｍｃｄである。異なる色の光を用いて異なる報知情報を表示することにより、報知情報がより直観的になり、該当の操作を利用者に促すことに寄与できる。
【００４１】
本明細書における実施例１による決済装置のケースは、光源１０２が異なる色及び／又は異なる点滅の光を発することにより、決済操作を促すことができる。その発光規則及び該当する報知情報は、実際の必要に応じてさまざまに設定されることができる。例えば、常に点灯する白光を発したとき、設備が待機状態であることを報知し、１回点滅した白光を発したとき、設備が決済待ち状態になり、読み取り対象画像を提示して決済操作を行うことができることを利用者に促し、常に点灯する緑色の光を発したとき、決済成功及び／又は設備のアップデートが成功したことを利用者に報知し、常に点灯する赤色の光を発したとき、決済失敗及び／又は設備が故障状態になることを利用者に報知するように設定することが可能である。
【００４２】
光源１０２として、必要に応じてその他の仕様の発光部品が利用されてもよい。例えば、コスト低減のため、ライトパネルに、非チップ型のビーズが用いられてもよく、カラーのビーズとして、赤色のみのビーズ、緑色のみのビーズ等のような単色のものが用いられてもよい。
【００４３】
単色のカラービーズが用いられる場合、それぞれの色のビーズが交互に配置されてもよい。例えば、順に配列する白色のビーズ、赤色のビーズ、緑色のビーズ、青色のビーズを１組のビーズとし、１つのライトパネルに２組を配置する。これによって、実際の必要に応じて発光規則を設定することができるとともに、均一に投光する効果も果たせることもできる。
【００４４】
本明細書における実施例１によるライトパネル１０２１は、ライトパネルを固定するための取付孔１０２１ｃをさらに備える。
【００４５】
図４は、本明細書における実施例１による上カバーの構成模式図（正面図、側面図、平面図及び背面図を含む）である。上カバー１は、図４に示すように、下面に遮光部１０３をさらに有する。遮光部１０３は、光源１０２からの光が、光補充補助装置２０２に投光され、光補充補助装置２０２により反射されて前記ケースの外部に出射されるように、光源１０２の近くに設置される。したがって、光源１０２からの光が光補充補助装置２０２により反射されて出射されるので、前記ケースの外部に直接出射されることが避けられる。また、光が消費者の目を直接照らして目の不具合を起こすことが避けられる。本明細書における実施例１による遮光部１０３は、Ｌ型のストッパー板であり、ストッパー板の一辺が光源１０２からの光を遮るために用いられ、他辺が遮光部１０３を固定するために用いられる。また、実際の必要に応じて短冊状のような異なる形状の遮光部品を用いることができ、ライトパネルが環状である場合、遮光部品として環状部品等が用いられてもよい。
【００４６】
上カバー１は、上面に蓋板１０１を取り付けるためのガイド溝１０４をさらに備える。ガイド溝１０４は、蓋板１０１の周りに位置し、蓋板１０１の取り付け位置を位置決めするためのものである。蓋板１０１を前記ガイド溝１０４に位置させて、蓋板１０１の取り付け位置を制限することによって、取り付けを精確にし、ケース及び設備をより整然にすることができる。本明細書における実施例１によるガイド溝１０４は、Ｌ型の凹溝であるが、実際の必要に応じて異なる形状のガイド溝が用いられてもよい。
【００４７】
上カバー１は、上面に突起部品１０５をさらに備える。突起部品１０５は、上カバー１の外エッジに位置し、外部物体が上カバー１にぶつかる確率を低減させるためのものである。例えば、携帯電話又はその他の読み取り対象画像を提示する設備からのぶつかりを低減させ、上カバー１を保護する。本明細書における実施例１による突起部品１０５は、硬質プラスチック製の長尺状の突起であるが、読み取り領域の形状に応じて合理的に設置されてもよく、ゴム等の一定の弾性を有する材質のものが用いられてもよい。このようにして、外部物体が本明細書における実施例による決済装置のケース及び決済装置にぶつかることが避けられるとともに、外部物体を保護することができる。例えば、消費者が携帯電話で決済を行うときにうっかりして決済装置にぶつかった場合、突起部品１０５の保護で設備に対する損害が避けられるとともに、硬い物のぶつかりによる消費者の携帯電話に対する損害も避けられる。
【００４８】
また、図１に示すように、突起部品１０５を長尺状に形成させるとともに、上カバーの両側に対称に配置することによって、読み取り対象画像を提示するとき、画像を長尺状の突起に沿う方向でスキャンするように利用者に指示することができるので、コード読み取りを案内する役割を果たし、使用がより便利になる。例えば、利用者が携帯電話でコード読み取り決済を行うとき、長尺状の突起に沿う方向で携帯電話に対してコード読み取りを行うように利用者に指示する。
【００４９】
図１及び図２に示すように、本明細書における実施例１による上カバー１は、水平に配置されたが、人間工学に基づいて、利用者による読み取り対象画像の提示を便利にするため、上カバー１を一定の角度で傾斜させて設けてもよい。ここで、傾斜角度を、５°〜２０°にすることができ、好ましくは、傾斜角度を１０°にする。なお、上カバー１を水平に設けるか一定の角度で傾斜させて設けるかについて、決済装置が利用者からの読み取り対象画像を撮るときの便利性に応じて適当に調整することができる。そして、決済装置のケース及び決済装置の自由度及び適応性を向上させることもできる。ここで、読み取り対象画像の提示について、支払い利用者が移動電子端末により２次元コードを提示する方式を含むが、これに限定されなく、支払い利用者の身体的な特徴を識別して決済情報の入力を行う方式も含む。
【００５０】
上カバー１を水平方向に対して一定の角度で傾斜させる場合、上カバー１と上ケース２とをぴったりと接続させるため、上カバー１と接続する上ケース２を相応に調整する必要もある。
【００５１】
図４に示すように、本明細書における実施例１による上カバー１は、上ケース２と固定するためのいくつのネジ具１０６をさらに含む。
【００５２】
図５は、本明細書における実施例１による蓋板の構成模式図（正面図、平面図及び側面図を含む）である。図５に示すように、蓋板１０１は、蓋板１０１における透明領域１０１２を囲み、蓋板１０１と上カバー１との接続部分を遮るための非透明領域１０１１をさらに含む。透明領域１０１２は、前記中空部分に重なり、読み取り対象画像を読み取る可能な任意の適当な寸法に形成される。例えば、透明領域１０１２が、携帯電話スクリーンと同寸法に形成されることが可能である。本明細書における実施例１では、蓋板１０１が上カバー１の上面に接着固定され、蓋板１０１の接着固定領域においてスクリーン印刷処理により非透明領域１０１１が形成され、接着領域を遮るので、見栄えがよく、整然になる。また、実際の必要に応じてその他の固定方式及び非透明領域の処理方式を用いてもよい。
【００５３】
蓋板１０１は透明材質のものからなる。本明細書における実施例１による蓋板１０１は、有機ガラスを用いたが、アクリル、ＰＣ(ポリカーボネート)等の材質のものを用いてもよい。したがって、読み取り対象画像が蓋板１０１を通ってはっきりと識別されるとともに、蓋板１０１が防塵、衝突防止等の保護の役割も果たしている。
【００５４】
図６は、本明細書における実施例１による上ケースの構成模式図（正面図、底面図、平面図、側面図及び断面図を含む）である。図６に示すように、上ケース２における光補充補助装置２０２は、円弧面を有する椀状のものであり、上ケース２と一体に形成された構成である。光補充補助装置２０２の椀口部が上カバー１の方向に向けるように設けられるとともに上ケース２の上部に固定され、光補充補助装置２０２の椀底部に貫通孔２０１を有する。よって、光源１０２が発した光は、光補充補助装置２０２において乱反射されて柔らかい光に変換され、特に、光補充補助装置２０２における椀状ものの円弧面を介して、前記ケースの外部に出射されるため、光が直接に１つの方向に反射されることを避けることができる。例えば、光が前記ケースの付近にいる利用者の目に直接反射されて、目の不具合を起こすことが避けられる。そして、光補充補助装置２０２と上ケース２とが一体に形成されたため、技術者による設備の取り付け又はメンテナンスが容易になり、光補充補助装置２０２と上ケース２との間の固定処理を行う必要がなく、設備の取り付け又はメンテナンスの効率を向上させることができる。
【００５５】
本発明の実施例１による光補充補助装置２０２は、乱反射の材質のものからなるので、光源１０２から発した光が前記ケースの外部又は読み取り対象画像に直接反射され、光補充が過剰に行われることによる、読み取り対象画像に対する読み取りエラー等の問題がさらに避けられ、光源から発した光が貫通孔２０１に直接反射されることで、撮像カメラの破壊を起こす問題も避けられる。本明細書における実施例１による光補充補助装置２０２は、プラスチック材質のものからなるが、その他の乱反射可能な材質からなってもよい。
【００５６】
図６に示すように、上ケース２の上部に、上カバー１を取り付けるための、上カバー１と合わせて前記光源装置を格納するスペースを形成する凹溝２０３をさらに有する。よって、上カバー１及び光源１０２の取り付けが容易になり、光源１０２をある程度に保護できるとともに、上カバー１及び／又は光源１０２と上ケース２との衝突も避けられる。凹溝２０３の形状として、必要に応じて設計することが可能である。本明細書における実施例１による凹溝２０３は、Ｌ型の凹溝であり、製造が簡単で、そして、上カバー１の形状に合致するので、上カバー１と上ケース２との緊密性を向上させることができる。
【００５７】
上ケース２は、いくつの取り付け、固定用のボルト２０６をさらに有する。
【００５８】
図１及び図２に示すように、下ケース３に、音量及び／又はモードを調節するための音量調節ボタン及び／又はモード調節ボタン３０１が固定に取り付けられる。
【００５９】
音量調節ボタンは、物理的なボタンであり、音量増加ボタンと音量減少ボタンとを含む。図７は、本明細書における実施例１による音量調節ボタンの構成模式図（正面図、底面図、側面図及び平面図を含む）である。図７に示すように、本明細書における実施例１では、音量増加ボタンに「＋」のマークが形成され、音量減少ボタンに「−」のマークが形成され、簡単で分かりやすいマークを用いるので、利用者の操作が便利になる。そして、物理的なボタンを用い、音量を段階的に調節するので、利用者は、実際の必要に応じて合理的に音量の大きさを容易に調節することができる。
【００６０】
モード調節ボタンは、物理的なボタンであり、リセットボタンとダウンロードボタンとを含む。図８は、本明細書における実施例１によるモード調節ボタンの構成模式図（正面図、底面図、側面図及び平面図を含む）である。図８に示すように、本明細書における実施例１では、リセットボタンに、英文「ｒｅｓｅｔ」の略称であって再起動、初期状態に戻すという意味を表す「Ｒ」のマークが形成され、ダウンロードボタンに、英文「ｄｏｗｎｌｏａｄ」の略称であってダウンロードの意味を表す「Ｄ」のマークが形成される。略称でボタンにマークが形成されることにより、ボタンの作用を利用者にはっきりと理解させ、そして、物理的なボタンを用いるので、利用者は、容易に直接操作し、設備の作動状態を調節することができる。
【００６１】
図９は、本明細書における実施例１による下ケースの構成模式図（平面図、正面図、背面図、側面図及び底面図を含む）である。下ケース３は、図９に示すように、１つの下ケース底面と２つの下ケース側面とを含む。前記下ケース側面が前記下ケース底面から上に向かって平滑に延伸した突起３０２である。図６に示すように、上ケース２の両側のエッジが突起３０２に対応する凹部２０４である。突起３０２と凹部２０４とは、上ケース２と下ケース３との接続箇所において合致するので、上ケース２と下ケース３が緊密に接続されることができる。ここで、突起３０２は、外側に突出する又は内側に窪む。そして、本明細書における実施例１による決済装置のケースに対して組立又は分解等の操作を行うとき、下ケース３における突起３０２により、利用者のケースに対する把持が容易になる。例えば、本明細書における実施例１による決済装置のケースにおける上ケースと下ケースとを分離するとき、利用者が下ケース３における突起３０２を把持することができるので、上ケース２と下ケース３とを容易に分離することができる。図１と図２に示すように、本発明の実施例１による下ケース３における突起３０２が内側に窪む。利用者が下ケース３を把持しているとき、突起３０２が内側に窪むので、手の把持角度により合うため、下ケース３及び前記決済装置のケースをよりしっかりと把持することができる。また、突起３０２は、金型に所定の角度が予め形成される型抜き工程により形成されるので、摩擦係数を増大させたとともに、他の製品と区別できる特徴となっている。本発明の実施例１による下ケース３と上ケース２とを組み立ててなったケースは、上が小さく下が大きい錐台状のものになる。組み立てられたケースは、全体として、高さが約１０ｃｍである。その底面は、長さが約１３ｃｍであり、幅が約１０ｃｍである。その上面は、長さが約１０ｃｍであり、幅が約８．５ｃｍである。
【００６２】
図９に示すように、下ケース３の側面にスピーカーからの音声を放出するための音放出孔３０３を有し、音放出孔３０３を介して報知音を放出する。また、本明細書における実施例１による音放出孔３０３は、複数の小孔を含み、ある程度の防塵と保護の役割を果たし、外部の比較的大きい物体がケースに侵入することが防止される。
【００６３】
下ケース３は、底面に位置する少なくとも１つの中空柱３０５をさらに有し、図１に示すように、中空柱３０５に導電シリコーンゴム３０６が取り付けられている。図１０は、本明細書における実施例１による導電シリコーンゴムの構成模式図（平面図、断面図、底面図及び正面図を含む）である。導電シリコーンゴム３０６は、図１０に示すように、頂部３０６１が導電性を備えるので、本明細書における実施例１による決済装置のケースが分解防止の機能を有するようになる。本明細書における実施例１による決済装置のケースが組み立てられた場合、導電シリコーンゴム３０６と決済装置における基板とが接続され、決済装置が分解された場合、基板が通電の能力を失うようになり、再度に組み立てられても基板が作動しないので、導電シリコーンゴム３０６が分解防止の役割を果たしている。
【００６４】
図９に示すように、下ケース３は、異なる部品間の取り付けのための複数の取付孔３０７と取り付けネジ具３０８とをさらに有し、そして、音量調節ボタン及び／又はモード調節ボタンを固定に取り付けるためのボタン孔３０９と円形突起３１２とをさらに有する。
【００６５】
上カバー１と上ケース２と、並びに上ケース２と下ケース３とがネジ具で固定接続されるので、操作が便利であるとともに接続が強固である。
【００６６】
下ケース３は、図１に示すように、底面の外側にｓｉｍカードカバー３１０をさらに有する。図１１は、本明細書における実施例１によるｓｉｍカードカバーの構成模式図（平面図、底面図、側面図及び正面図を含む）である。ｓｉｍカードカバー３１０は、図１１に示すように、カバー体３１０１と、凸片３１０２と、固定孔３１０３とを含む。凸片３１０２と固定孔３１０３は、それぞれカバー体３１０１と接続され、カバー体３１０１の対称する２つの端に位置する。本明細書の実施例１による決済装置のケースにおけるｓｉｍカードカバー３１０は、下ケース３の外側に位置するので、利用者が外側からｓｉｍカードカバー３１０を開けて、ｓｉｍカードを容易に取り出すことができる。したがって、その他の部分を外す必要がないので、本明細書における実施例１による決済装置のケースの操作性を向上させることができる。
【００６７】
上ケース２は、図６に示すように、上ケース出線口２０５をさらに有する。下ケース３は、図９に示すように、下ケース出線口３１１をさらに有する。上ケース２と下ケース３とが固定接続された場合、上ケース出線口２０３と下ケース出線口３１１とが合致して、データ転送用・電源用ケーブルの出線口が形成される。本明細書における実施例１による決済装置のケースは、上ケース出線口２０５が半円形に形成され、下ケース出線口３１１が半円形に形成され、両者が合わせられて円形のデータ転送用・電源用ケーブルの出線口が形成される。必要に応じて、その他の形状に形成されてもよい。本明細書における実施例１による決済装置のケースは、データ転送用・電源用ケーブルの出線口を円形に設計したことにより、データ転送用・電源用ケーブルを保護する役割を果たし、出線口における突起又は角によるデータ転送用・電源用ケーブルの摩損が避けられる。
【００６８】
実施例２
本発明の実施例１による決済装置のケースをもとに、ケースの形状及び寸法を変更し、その内部における部品を相応的に調整して、本発明の実施例２によるコンパクトな決済装置のケースを得る。図１２に示すように、本発明の実施例２による決済装置のケースは、上カバー２−１と、上ケース２−２と、下ケース２−３とを含む。その位置、接続関係及び含まれる部品は、上記の本発明の実施例１による決済装置のケースと同様であるため、ここで説明を省略する。
【００６９】
また、本発明の実施例２による決済装置のケースにおいて、光源２−１０２のライトパネルが上カバー２−１の四角形の中空部分の４つの辺に沿って配置され、発した光が上ケース２−２の内部に均一に投光されるので、本発明の実施例２による決済装置のケースの、読み取り対象画像に対する光補充の均一性を向上させることができる。
【００７０】
図１３は、本明細書における実施例によるコンパクトな決済装置のケース及び決済装置の上ケースの構成模式図（正面図、平面図、底面図、断面図及び側面図を含む）である。図１４は、本明細書における実施例によるコンパクトな決済装置のケース及び決済装置の下ケースの構成模式図（正面図、背面図、平面図、底面図及び側面図を含む）である。本明細書における実施例２による下ケース２−３は、図１３及び図１４に示すように、１つの下ケース底面と２つの下ケース側面とを含む。前記下ケース側面が前記下ケース底面から上に向かって平滑に延伸した突起である。前記上ケースの両側のエッジが前記突起に対応する凹部である。前記突起と前記凹部とは、前記上ケースと前記下ケースとの接続箇所において合致する。前記下ケース側面が前記下ケース底面に垂直する。前記上ケース２−２が４つの上ケース側面を含み、隣接する２つの前記上ケース側面同士が互いに垂直し、対向する２つの前記上ケース側面が平行する。上ケース２−２と下ケース２−３との組み合せが形状の規則の長方体に形成される。本発明の実施例２による決済装置のケースは、組み立てられた場合、高さが約８ｃｍである。その底面は、長さが約９ｃｍであり、幅が約７．５ｃｍである。上面と底面が同寸法である長方体に形成される。実際の応用では、下ケース底面と下ケース側面との接続箇所及び上ケース側面の接続箇所に面取り処理を行うことができ、よって、面と面の接続箇所が円滑になり、ケースにおける角で利用者が傷つけられる可能性を効果的に低減することができる。なお、本明細書における実施例２による下ケース２−３も、上記の実施例１による下ケース３における音放出孔、中空柱、導電シリコーンゴム、取付孔、取り付けネジ具、ｓｉｍカードカバー等の部品を含み、その位置及び作用も上記の実施例１による各部品の作用と同様である。また、実際の必要に応じて適当な位置に設置されてもよい。ここで説明を省略する。
【００７１】
本発明の実施例２による決済装置のケースは、コンパクトで、設置スペースを抑え、実際の応用では、当業者が必要に応じて異なる形状のケースを設計することができるので、本発明の実施例２による決済装置のケースの多様性を向上させ、利用者の選択肢を増やし、消費要求に対する適応性を向上させることができる。
【００７２】
本発明の実施例２による決済装置のケースは、滑り止め装置２−４をさらに有する。滑り止め装置２−４は、図１２に示すように、下ケース２−３に固定され、具体的に下ケース２−３における突起に位置し、接着又はスナップの方式で下ケース２−３に固定されることができる。当業者がケースを把持するとき、滑り止め装置２−４によって、手とケースとの摩擦力が増やされ、滑り止めの役割を果たし、技術者の本発明の実施例２による決済装置のケースに対する操作がより便利、安全になる。
【００７３】
図１５は、本明細書における実施例によるコンパクトな決済装置のケース及び決済装置の滑り止め装置の構成模式図（正面図、平面図及び底面図を含む）である。滑り止め装置２−４は、図１５に示すように、シート状に形成され、滑り止め本体２−４１と滑り止め突起２−４２を含み、滑り止め突起２−４２が滑り止め本体２−４１の上面に位置し、滑り止め本体２−４１の下面に補強部材２−４３がさらに設置される。滑り止め装置２−４は、下ケース２−３の両側の突起に固定される場合、突起における滑り止め固定口３１３に合致する。また、滑り止め突起２−４２は、手とケースとの摩擦力を増やすように、１つまたは複数設置されてもよい。これによって、滑り止めの効果をさらに向上させる。補強部材２−４３は、滑り止め装置２−４を支持、強化し、滑り止め装置２−４への外力による破壊を避けることができる。
【００７４】
本発明の実施例２による決済装置のケースは、上カバー、蓋板、光源、光補充補助装置等の部品の位置及び接続関係について、上記の実施例１における説明と同様であるため、ここで説明を省略する。また、本発明の実施例２による決済装置のケースは、上カバー、蓋板、光源、光補充補助装置等の部品の形状及び／又は寸法を、本発明の実施例２による上ケース２−２、下ケース２−３の形状及び／又は寸法に応じて適宜に設定することができる。例えば、本発明の実施例２による上ケース２−２の寸法が比較的に小さいため、上ケース２−２の上部に位置する上カバーの寸法を、上ケース２−２の上部の寸法に合致するように設計する必要がある。同様に、蓋板の寸法も、上カバーの寸法に応じて調整する必要がある。また、光源、光補充補助装置等の部品の寸法も、実際の状況に応じて調整する必要がある。このようにして、上カバー、上ケース及び下ケースにより完全な本発明の実施例２による決済装置のケースを構成し、ケースにおけるその他の部品が適当な位置に位置させることができる。
【００７５】
実施例３
上記の実施例１及び／又は実施例２による決済装置のケースをもとに、本明細書における実施例３による決済装置は、図１及び図１２に示すように、上記の決済装置のケースと、読み取り対象画像情報を取得するための撮像カメラユニット４と、前記撮像カメラユニットを制御するとともに前記撮像カメラユニットの取得した読み取り対象画像情報を処理するためのメイン制御ユニット５を有する。
【００７６】
撮像カメラユニット４は、図１に示すように、光補充補助装置２０２の下部に固定される。撮像カメラユニット４の撮像カメラが、読み取り対象画像を撮像可能に貫通孔２０１と対応に設置される。メイン制御ユニット５は、撮像カメラユニット４の下面に固定されるとともに、上ケース２の内部に位置する。
【００７７】
メイン制御ユニット５は、回路制御基板であり、本明細書における実施例３による決済装置の主要の制御ユニットであり、解析モジュール、通信モジュール、ライト制御モジュール、音声制御モジュールを含む複数の制御モジュールを有する。
【００７８】
解析モジュールは、撮像カメラユニットが識別した読み取り対象画像を解析し、相応の決済情報を取得する。通信モジュールは、ネットワーク接続のためのものであり、関連の決済情報を送信し、確認情報を受信する。ライト制御モジュールは、既定の規則に基づいて相応に照明するように光源装置を制御する。音声制御モジュールは、既定の規則に基づいて音声情報を報知するようにスピーカーを制御する。
【００７９】
音声制御モジュールは、音量調節ボタン、モード調節ボタン及びスピーカーのそれぞれと電気接続される。これによって、音声制御モジュールは、音量及びモードを調節するように音量調節ボタン及びモード調節ボタンを制御することができる。また、音声制御モジュールは、音声情報を報知するようにスピーカーを制御することができる。
【００８０】
図１に示すように、本発明の実施例３による決済装置は、スピーカー３０４をさらに有する。スピーカー３０４は、下ケース３における、音放出孔３０３の付近に取り付けられている。したがって、スピーカー３０４が発した音声が音放出孔３０３を通って外部へ伝播され、そして、スピーカー３０４が音放出孔３０３に近いので、スピーカー３０４が発した音声の、本明細書における実施例３による決済装置の内部での伝播距離が短くなり、音声のロスが減少される。
【００８１】
また、本明細書における実施例３による決済装置の販売において、消費者は、ｓｉｍカード付けの決済装置またはｓｉｍカードなしの決済装置を選択することができる。ｓｉｍカードカバーの設置により、本明細書における実施例による決済装置の選択可能な仕様が増え、消費者の要求を満足することができる。
【００８２】
ｓｉｍカード付けの決済装置を選択した場合、消費者が直接使用できるように、販売者が消費者の必要に応じて必要な機能又は仕様をｓｉｍカードに仕込むことができる。ｓｉｍカードなしの決済装置のケース及び決済装置を選択した場合、消費者が対応の規格のｓｉｍカードを自ら購入し、関連の処理を行い、処理できたｓｉｍカードをｓｉｍカードカバー７０９から本明細書における実施例による決済装置のケース及び決済装置に入れることができるので、装置全体を開ける必要がない。そして、所有者がｓｉｍカードを交換するとき、ｓｉｍカードカバーを直接開ければよく、本明細書における実施例による決済装置のケース及び決済装置全体に対して着脱することが避けられ、その他の部品に対する影響も避けられる。
【００８３】
本明細書における実施例３による決済装置は、出線口から通ったデータ転送用・電源用ケーブルが外部のコンピュータ又はキーボードと接続できる。この場合、コンピュータ又はキーボードにより本明細書における実施例３による決済装置を操作することができる。例えば、コンピュータ又はキーボードにより消費金額を入力し、データ転送用・電源用ケーブルを介して決済装置に伝送し、相応の金額のコード読み取り操作を完成させることができる。コンピュータ又はキーボードにより本明細書における実施例３による決済装置を操作する必要がないとき、決済装置の電力を保つように、データ転送用・電源用ケーブルを電源に直接接続することができる。
【００８４】
実施例４
上記の実施例３による決済装置をもとに、本明細書における実施例４による液晶スクリーン付きの決済装置は、上記の実施例３による設備と、液晶スクリーン６をさらに有する。図１６は、本明細書における実施例による液晶スクリーン付きの決済装置の分解図である。図１７は、本明細書における実施例による液晶スクリーン付きの決済装置の断面図である。液晶スクリーン６は、図１６及び図１７に示すように、蓋板１０１の下方に固定され、メイン制御ユニット５により液晶スクリーン６の表示内容が制御される。
【００８５】
本明細書における実施例４による液晶スクリーン６は、数字、文字又は図形を表示できる液晶スクリーンであり、ＬＥＤ（Ｌｉｇｈｔ  Ｅｍｉｔｔｉｎｇ  Ｄｉｏｄｅ、発光ダイオード）スクリーン、ＬＣＤ（Ｌｉｑｕｉｄ  Ｃｒｙｓｔａｌ  Ｄｉｓｐｌａｙ、液晶ディスプレイ）又はＯＬＥＤ（Ｏｒｇａｎｉｃ  Ｌｉｇｈｔ−Ｅｍｉｔｔｉｎｇ  Ｄｉｏｄｅ、有機発光ダイオード）スクリーンを用いることができる。液晶スクリーン６は、ＦＰＣ（Ｆｌｅｘｉｂｌｅ  Ｐｒｉｎｔｅｄ  Ｃｉｒｃｕｉｔ、フレキシブルプリント基板）を介してメイン制御ユニット５と接続され、メイン制御ユニット５により液晶スクリーン６における表示内容が制御される。例えば、決済過程において支払い金額、決済状態等の情報及び広告情報を表示することが可能である。
【００８６】
また、本明細書における実施例４による決済装置に用いられる液晶スクリーン６が表示していないときに透明状態となり、透明度が６０％〜８０％となる。これによって、設備外部からの光線が液晶スクリーン６を通って撮像カメラユニットのレンズに入ることができるので、撮像カメラによる読み取り対象図形に対する撮像に影響を与えない。
【００８７】
なお、異なる仕様の液晶スクリーンが使用する偏光子が異なるため、光透過率も異なる。本明細書における実施例４による決済装置は、液晶スクリーン６の光透過率に応じて適宜の仕様の撮像カメラを選択することが可能である。液晶スクリーン６は光透過率が高い（光透過率が７０％超となる）液晶スクリーンである場合、普通の撮像カメラを用い、液晶スクリーン６は光透過率が低い（光透過率が６０％未満となる）液晶スクリーンである場合、高精細度撮像カメラ又は光補充機能を備える撮像カメラを用いることができる。本明細書における実施例４では、光透過率が８０％である液晶スクリーンに３０万画素の普通の撮像カメラを用いる。液晶スクリーンと撮像カメラの組み合わせにより、設備の選択可能な仕様が増え、異なる利用者の要求を満足することができる。
【００８８】
本明細書における実施例４による決済装置は、利用者が決済情報を容易に確認できるように、液晶スクリーンにおいて情報を表示させ、情報を表示する領域と読み取り対象画像の読み取り領域とが同一領域となるように設けられるので、情報表示領域を別途に設ける必要がなく、設備の体積も効果的に縮小され、取り付けが簡単になる。
【００８９】
なお、「有する」、「含む」といった用語およびそれらの変化形は、非排他的な包含を網羅するように意図される。一連の要素を含むプロセス、方法、商品または装置は、必ずしもこれらの要素に限定されず、明示されない、またはこれらのプロセス、方法、商品または装置に対する固有のその他の要素を含んでもよい。特に断りがない限り、「〜を含む」という表現で限定された要素について、前記要素を含むプロセス、方法、商品又は装置がその他の同様な要素も有している状況を除外しない。
【００９０】
上記の記載は、本出願の実施例にすぎず、本出願を限定するものではない。当業者は、本出願に対して各種の変更や変化を行うことが可能である。本出願の精神及び原理から逸脱しない限り、行った如何なる変更、均等置換、改良等も、本出願の保護範囲内に属する。
【図１】
2020173798.tif 000003
【図２】
2020173798.tif 000004
【図３】
2020173798.tif 000005
【図４】
2020173798.tif 000006
【図５】
2020173798.tif 000007
【図６】
2020173798.tif 000008
【図７】
2020173798.tif 000009
【図８】
2020173798.tif 000010
【図９】
2020173798.tif 000011
【図１０】
2020173798.tif 000012
【図１１】
2020173798.tif 000013
【図１２】
2020173798.tif 000014
【図１３】
2020173798.tif 000015
【図１４】
2020173798.tif 000016
【図１５】
2020173798.tif 000017
【図１６】
2020173798.tif 000018
【図１７】
2020173798.tif 000019